(57)【要約】      （修正有）【課題】複数の薄形の収容物を整列させた状態で展示することができ、収容物が倒れることを防ぎ、きれいに陳列することができる包装用箱を提供する。【解決手段】矩形の正面１６と、正面１６の両側に位置する一対の側面１４、１８と、正面１６に対向する背面２０を有する。側面１４には、背面２０の裏面に糊付けされる糊付片２８を備える。背面２０には、背面２０の高さの途中から底面の中央に向かって突出する倒れこみ防止フラップ３２を備える。糊付片２８の中央部分の、折罫線３０に対して直角に位置する一方の端部に、倒れこみ防止フラップ３２が突出して設けられている。糊付片２８の端部から倒れこみ防止フラップ３２の先端部３２ａまでの長さは、糊付片２８の端部から底面までの長さよりも長く、倒れこみ防止フラップ３２は、背面２０と底面に交差する傾斜面となる。【選択図】図１
0003222936.tif 000002
【実用新案登録請求の範囲】
【請求項１】
一枚の箱体形成片から成り、矩形の正面と、前記正面の両側に位置する一対の側面と、前記正面に対向する背面が筒体に組み立てられ、前記筒体の一方の端部は底面により閉鎖され、前記背面には前記背面から前記底面の中央に向かって突出する倒れこみ防止フラップが設けられていることを特徴とする包装用箱。
【請求項２】
前記側面の一方には、前記筒体に組み立てる際に前記背面の裏面に糊付けされる糊付片が折罫線で区切られて設けられ、前記糊付片は前記折罫線に連続し前記折罫線に沿う長細い矩形である側縁部分と、前記側縁部分の前記折罫線とは反対側の側縁部から突出する小さい矩形である中央部分が連続した形状であり、
前記中央部分の、前記折罫線に対して略直角に位置する一方の端部には、前記倒れこみ防止フラップが前記端部から突出して設けられ、前記倒れこみ防止フラップは、前記倒れこみ防止フラップの先端部が前記底面に向かって下垂し、前記糊付片の前記端部から前記倒れこみ防止フラップの前記先端部までの長さは、前記糊付片の前記端部から前記底面までの長さよりも長く形成され、前記倒れこみ防止フラップは、前記先端部が前記背面から離れて前記底面の中央に移動した位置で前記底面に当接し、前記背面と前記底面に交差する傾斜面となる請求項１記載の包装用箱。
【請求項３】
前記倒れこみ防止フラップには、突出方向に沿って補強用の押し罫線が設けられている請求項１又は２記載の包装用箱。
【考案の詳細な説明】
【技術分野】
【０００１】
この考案は、収容物を収容して運搬や保管を行い、展示する際に一部を開口して展示用の箱となる包装用箱に関する。
【背景技術】
【０００２】
ヘアケア製品やＯＴＣ医薬品には、１回で使い切る量を３方シール包装等の薄形の袋で包装したものがあり、これらはコンビニエンスストアやドラッグストアの店頭にて、袋で包装した商品を収容した包装用箱の一部を分離して開口させ、包装用箱に収容した状態で商品を陳列販売することがある。しかし、このような薄形の商品は、複数個を、厚み方向に重ねて整列させた状態で立てて展示する場合、商品が少なくなると商品が箱内で倒れて取り出しにくくなることがある。また、手前側に倒れた場合は、商品正面のデザインが見えず、正面性が確保できないという問題がある。この問題を解決するため、薄形の商品が倒れないように工夫されたものがある。
【０００３】
例えば、特許文献１に開示されている展示用包装箱は、互いに連接された側面と、連接された側面を組み立てて形成される筒体の一開口端部を閉鎖する底部が設けられている。底部は一つの側面に設けられた第一底蓋片と、対面する他方の側面に設けられた第二底蓋片から成る。第一底蓋片には、箱体内へ立ち上がる立上片と、立上片の端部に連接され箱体の底部に対して平行に位置する上面部が設けられ、上面部の端部には、上方へ折り曲げて立設される倒れこみ防止フラップが設けられている。第二底蓋片には、小さい面積の移動防止フラップが設けられ、第二底蓋片に重ねて折り返されている。
【先行技術文献】
【特許文献】
【０００４】
【特許文献１】特許第５１７３３７６号公報
【考案の概要】
【考案が解決しようとする課題】
【０００５】
上記背景技術の場合、構造が複雑で、製造工程と包装工程が多くなるという問題がある。また、立上片と上面部はボックス形に組み立てられるため、収容物の下端部を正面へ押し出すように付勢することができず、収容物の下端部が移動防止フラップから外れた場合は、収容物の上端部が背面側に傾いて底部に倒れるおそれがあり、また収容物の上端部が正面側に傾いて前方に倒れるおそれもある。
【０００６】
この考案は、上記背景技術の問題点に鑑みてなされたものであり、複数の薄形の収容物を整列させた状態で展示することができ、収容物が倒れることを防ぎ、きれいに陳列することができる包装用箱を提供することを目的とする。
【課題を解決するための手段】
【０００７】
本考案は、一枚の箱体形成片から成り、矩形の正面と、前記正面の両側に位置する一対の側面と、前記正面に対向する背面が筒体に組み立てられ、前記筒体の一方の端部は底面により閉鎖され、前記背面には前記背面の高さの途中から前記底面の中央に向かって突出する倒れこみ防止フラップが設けられている包装用箱である。
【０００８】
前記側面の一方には、前記筒体に組み立てる際に前記背面の裏面に糊付けされる糊付片が折罫線で区切られて設けられ、前記糊付片は前記折罫線に連続し前記折罫線に沿う長細い矩形である側縁部分と、前記側縁部分の前記折罫線とは反対側の側縁部から突出する小さい矩形である中央部分が連続した形状である。前記中央部分の、前記折罫線に対して略直角に位置する一方の端部には、前記倒れこみ防止フラップが前記端部から突出して設けられている。前記倒れこみ防止フラップは、突出方向に長い矩形であり、前記倒れこみ防止フラップの先端部が前記底面に向かって下垂する。前記糊付片の前記端部から前記倒れこみ防止フラップの前記先端部までの長さは、前記糊付片の前記端部から前記底面までの長さよりも長く形成され、前記倒れこみ防止フラップは、前記先端部が前記背面から離れて前記底面の中央に移動した位置で前記底面に当接し、前記背面と前記底面に交差する傾斜面となる。
【０００９】
前記倒れこみ防止フラップには、突出方向に沿って補強用の押し罫線が設けられている。
【考案の効果】
【００１０】
本考案の包装用箱は、簡単な構造で、複数の薄形の収容物を整列させた状態で展示することができ、収容物が正面側にも背面側にも倒れることが無く、きれいに陳列することができる。収容物の正面を箱体の正面に一致させて、収容物の上端部が箱体の背面に向かうように傾斜して展示することができ、収容物の正面性を確保することができる。収容物の数が少ない時でも倒れこみ防止フラップが支持し、底面に倒れることを防ぐ。
【図面の簡単な説明】
【００１１】
【図１】この考案の一実施形態の包装用箱の斜視図である。
【図２】この実施形態の包装用箱の使用状態を示す斜視図である。
【図３】この実施形態の包装用箱の展開図である。
【考案を実施するための形態】
【００１２】
以下、この考案の実施形態について図面に基づいて説明する。図１〜図３はこの考案の一実施形態を示すもので、この実施形態の包装用箱１０は、紙製等のシートを打ち抜いて形成された箱体形成片１２を組み立てて設けられている。図３は箱体形成片１２を表面から見た展開図であり、箱体形成片１２は、筒体に組み立てられる側面１４、正面１６、側面１８、背面２０が、互いに平行にこの順で連接して形成されている。側面１４、正面１６、側面１８、背面２０は、連接している幅方向は同じ長さであり、連接方向に長さは、側面１４，１８が長くて互いにほぼ等しく、正面１６と背面２０は短くて互いにほぼ等しい。側面１４、正面１６、側面１８、背面２０は、各々折罫線２２，２４，２６で区切られて設けられている。
【００１３】
側面１４の、折罫線２２とは反対側の側縁部には、包装用箱１０の組立状態で背面２０の裏面に糊付けされる糊付片２８が折罫線３０で区切られて設けられている。糊付片２８は、折罫線３０に連続し折罫線３０に沿う長細い矩形である側縁部分２８ａと、この側縁部分２８ａの折罫線３０とは反対側の側縁部から突出する小さい矩形の中央部分２８ｂが連続した形状である。糊付片２８は、背面２０よりも小さい形状であり、背面２０からはみ出すことなく糊付けされる。中央部分２８ｂの、折罫線３０に対して略直角に位置する一方の端部２８ｃには、端部２８ｃから略直角に突出する倒れこみ防止フラップ３２が折罫線３４で区切られて設けられている。倒れこみ防止フラップ３２は、突出方向に少し長い矩形であり、折罫線３４とは反対側の先端部３２ａは、側面１４の折罫線３０に交差する端部１４ａの延長線よりも外側に位置している。つまり包装用箱１０の組立状態で底面までの長さよりも長く形成されている。
【００１４】
倒れこみ防止フラップ３２の、先端部３２ａに対して交差する一対の側縁部３２ｂは、一方は側縁部分２８ａから少し隙間を開けて位置し、他方は中央部分２８ｂの側縁部よりも少し側縁部分２８ａに近いところに位置している。従って、倒れこみ防止フラップ３２の幅は、端部２８ｃより少し短い。倒れこみ防止フラップ３２には、複数個の押し罫線３６が側縁部３２ｂに対して平行に、互いに等間隔で設けられている。
【００１５】
側面１４において、糊付片２８に倒れこみ防止フラップ３２が設けられている方の端部１４ａには、包装用箱１０の組立状態で底面となる第一底蓋片３８が折罫線４０で区切られて設けられている。第一底蓋片３８の折罫線４０から折罫線４０に対して平行な端部３８ａまでの長さは、端部３８ａが包装用箱１０の組立状態で底面の中心線付近に位置する長さ、つまり正面１６又は背面２０の半分の幅に設けられている。そして、端部３８ａの中心から折罫線３０側の部分は、端部３８ａよりも外側に幅広に形成された差込片４２となる。また、第一底蓋片３８の折罫線２２近傍には、略三角形の糊付片４４が折罫線４６で区切られて設けられ、折罫線４６は折罫線４０に対して鋭角で交差する方向に設けられている。
【００１６】
側面１４の、端部１４ａとは反対側の端部には、矩形の上フラップ４８が、折罫線５０で区切られて設けられている。
【００１７】
正面１６の、側面１４の折罫線４０に連接する端部には、三角形状の底フラップ５２が折罫線５４で区切られて設けられている。正面１６の、折罫線５４とは反対側の端部には、何も設けられていない。
【００１８】
側面１８の、正面１６の折罫線５４に連接する端部には、包装用箱１０の組立状態で底面となる第二底蓋片５６が、折罫線５８で区切られて設けられている。第二底蓋片５６の折罫線５８から折罫線５８に対して平行な端部５６ａまでの長さは、端部５６ａが包装用箱１０の組立状態で底面の中心線付近に位置する長さ、つまり正面１６又は背面２０の半分の幅に設けられている。そして、端部５６ａの中心から折罫線２４側の部分は、端部５６ａよりも外側に幅広に形成された差込片６０となる。また、第二底蓋片５６の折罫線２６近傍には、略三角形の糊付片６２が折罫線６４で区切られて設けられ、折罫線６４は折罫線５８に対して鋭角で交差する方向に設けられている。
【００１９】
側面１８の、折罫線５８とは反対側の端部には、矩形の上フラップ６６が折罫線６８で区切られて設けられている。
【００２０】
背面２０の、側面１８の折罫線５８に連接する端部には、三角形状の底フラップ７０が折罫線７２で区切られて設けられている。背面２０の、折罫線７２と反対側の端部には、矩形の上蓋片７４が折罫線７６で区切られて設けられている。上蓋片７４は矩形であり、背面２０に連接している幅方向は背面２０と同じであり、連接方向の長さは側面１４，１８の背面２０との連接方向長さと同じであり、折罫線７６から突出方向に長い矩形である。上蓋片７４の、折罫線７６の反対側の端部には、さらに差込片７８が折罫線８０で区切られて設けられている。上蓋片７４には、中央よりも少し折罫線７６に近い位置に、折罫線７６に対して平行な折罫線８２が設けられている。
【００２１】
背面２０には、背面２０の中央よりも折罫線７６に近い位置に、切断線８４が設けられている。切断線８４は、折罫線７６側へ膨出する円弧形状である。
【００２２】
側面１４、正面１６、側面１８には、連接方向に沿って互いに平行な一対の破断線８６が設けられている。破断線８６は、側面１４の折罫線３０と折罫線５０で形成された角部から、折罫線２２上で折罫線２２の中心よりも少し折罫線４０に近い位置に向かい、次に正面１６を折罫線５４に対して平行に横断し、さらに側面１８の折罫線２４上から折罫線２６と折罫線６８で形成された角部に達して、全体にＶ字状に形成されている。正面１６の中心に位置する部分には、一対の破断線８６の間を切断する切断線８８が折罫線２２，２４に対して略平行に設けられている。側面１４の折罫線５０には、折罫線３０に隣接する部分に破断線８９が形成されている。側面１８の折罫線６８にも、折罫線２６に隣接する部分に破断線８９が形成されている。
【００２３】
次に、この実施形態の包装用箱１０の組立方法について説明する。なお、ここでは図３が包装用箱１０の箱体形成片１２の表面を見たものであり、箱体形成片１２の表面が凸になる折り方を正折り、そして裏面が凸になる折り方を逆折りと称する。
【００２４】
まず、折罫線４０，５４，５８，７２で、第一底蓋片３８、底フラップ５２、第二底蓋片５６、底フラップ７０を正折りし、次に第一底蓋片３８の折罫線４６と、第二底蓋片５６の折罫線６４を逆折りし、糊付片４４，６２の裏面に、それぞれ糊９０を塗布する。次に、倒れこみ防止フラップ３２を折罫線３４で正折りして糊付片２８の裏面に重ね、糊付片２８の表面に糊９２を塗布する。糊９２は、側縁部分２８ａに沿う直線と、中央部分２８ｂの折罫線３０とは反対側の側縁部に沿う直線で塗布する。
【００２５】
次に、折罫線２２を正折りし、次に折罫線２６を正折りする。これにより、糊付片２８が糊９２で糊付けされ、第一底蓋片３８の糊付片４４は、糊９０により底フラップ５２の表面に糊付けされ、第二底蓋片５６の糊付片６２は、糊９０により底フラップ７０の表面に糊付けされる。これにより、箱体形成片１２は折り畳み状態となり、この状態で、商品である収容物９４を包装する工場へ出荷される。収容物９４は、例えば錠剤１〜２錠の使い切りパックやスティック分包等の軽量なものであり、３方シール包装等の薄形の袋で包装されている。
【００２６】
次に、収容物９４を収容し包装する工場等において、折罫線２２，２４，２６，３０を各々９０°に正折りして四角形の筒体にする。この時、第一底蓋片３８の糊付片４４は底フラップ５２に、第二底蓋片５６の糊付片６２は底フラップ７０に糊付けされているため、二つ折りされていた４０，５４，５８，７２は自動的に引き起こされてほぼ９０°に開く。そして、第一底蓋片３８の差込片４２が第二底蓋片５６の端部５６ａの裏面に差し込まれ、第二底蓋片５６の差込片６０が第一底蓋片３８の端部３８ａの裏面に差し込まれ、互いに確実に係止されて底面を形成し、箱体となる。
【００２７】
また、糊付片２８に重ねられた状態で側面１８に押さえられていた倒れこみ防止フラップ３２は、側面１８が開くと折罫線３４を中心軸として回転し、箱体の内側に突出し、先端部３２ａが底面に向かって下垂する。倒れこみ防止フラップ３２の、折罫線３４から先端部３２ａまでの長さは、折罫線３４から底面までの長さよりも長く形成されているため、倒れこみ防止フラップ３２は、先端部３２ａが背面２０から離れて底面の中央に移動した位置で底面に当接し、背面２０と底面に交差する傾斜面となる。
【００２８】
立体的に組み立てた包装用箱１０の内側に複数個の薄形の収容物９４を、面方向を互いに平行に整列させた状態で立て、面方向が正面１６と背面２０に対して平行になるように収容する。この時、収容物９４は、下端部９４ａが倒れこみ防止フラップ３２に載り、自立せず、下端部９４ａが正面１６に近づき、上端部９４ｂが背面２０に寄りかかる。これにより、複数個の収容物９４全体が押されて、下端部９４ａが正面１６に近づき、上端部９４ｂが背面２０に近づき、収容物９４の正面９４ｃが正面１６側の斜め上方に向くように傾斜する。なお、収容物９４の重量に合わせて、倒れこみ防止フラップ３２が折れないように、倒れこみ防止フラップ３２を含む箱体形成片１２の板厚等の強度を設定する。また、包装用箱１０は、収容物９４が傾斜して収容可能なように正面１６と背面２０の間隔にゆとりを設けている。
【００２９】
そして、折罫線５０，６８で上フラップ４８，６６を９０°に正折りし、折罫線７６で上蓋片７４を９０°に正折りし、さらに差込片７８を折罫線８０で正折りし、差込片７８を正面１６の裏面に差し込んで係止し、上面が形成され包装が完了する。収容物９４が箱体内に目いっぱい収容されると、倒れこみ防止フラップ３２が逆折りされて機能が失われる恐れがあるが、正面１６と背面２０の間の奥行寸法を通常よりもゆとりを持たせてあるため、倒れこみ防止フラップ３２が折れることが無い。収容物９４が箱詰めされた状態では、倒れこみ防止フラップ３２は側面１４，１８から見てノの字のように撓んだ状態となり、収容物９４は傾斜した状態となり、この状態で包装用箱１０に収容される。
【００３０】
包装用箱１０を、店頭で陳列する際は、正面１６の切断線８８から一対の破断線８６の間の帯状部分を引き起こし、破断線８６を切断し、破断線８９を切断して取り外す。これにより、側面１４、正面１６、側面１８は分割され、上面側を取り外し、図１、図２に示す状態となる。上面側を取り外した開口部から、包装用箱１０に収容されている薄形の収容物９４が露出する。
【００３１】
収容物９４は、倒れこみ防止フラップ３２により、収容物９４の正面９４ｃが正面１６側の斜め上方に向くようにセットされている。収容物９４の上端部９４ｂは、背面２０に寄りかかっているため、上端部９４ｂが正面１６側に倒れて包装用箱１０の外側に落ちることが無い。また、上蓋片７４を、折罫線８２で正折りし二つに折り重ね、差込片７８を背面２０の内側に重ね、背面２０の切断線８４に差し込んで係止し、立設する。これにより、上蓋片７４に印刷された収容物９４についての情報が消費者側から容易に視認され、包装用箱１０の開口部から、消費者が収容物９４を適切に取り出すことができる。倒れこみ防止フラップ３２が底面に向かって斜めに突出しているため、収容物９４の残りが少なくなっても、倒れこみ防止フラップ３２に支えられるため、底面に倒れることが無い。さらに、収容物９４の下端部９４ａが正面１６に向かって押し出され、収容物９４は傾斜した倒れこみ防止フラップ３２を滑るように移動するため、手前側につまり正面１６へ倒れ込むことも無い。
【００３２】
この実施形態の包装用箱１０によれば、簡単な構造で、複数の薄形の収容物９４を、面方向を互いに平行に整列させた状態で展示することができ、さらに、以下の効果を有する。収容物９４が、包装用箱１０の正面９４ｃ側にも背面２０側にも倒れることが無く、きれいに陳列することができる。収容物９４の正面９４ｃを、包装用箱１０の正面１６に一致させて、収容物９４の上端部９４ｂが包装用箱１０の背面２０に向かうように傾斜して展示することができ、収容物９４の正面性を確保することができる。消費者が見やすいように斜め上方に向けた状態できれいに陳列することができる。収容物９４の数が少なくなっても倒れこみ防止フラップ３２が支持し、底面に倒れることが無く、整頓した状態を維持することができる。簡単な構造と組立工程であり、組み立てや設置の手間がかからず、作業効率が良い。ワンタッチで底面が形成され、底面が形成される時に倒れこみ防止フラップ３２が立体的に組み立てられるため、組み立て工程が簡単である。組み立てた包装用箱１０へ収容物９４を挿入する作業は従来の倒れこみ防止フラップ３２を持たないものと同じアクションで行うことが可能であり包装作業への影響がない。一つの箱体形成片１２で組み立てられ、部材を増やすことが無い。上蓋片７４は、背面２０の上方に高く立設され、視認しやすく、広告効果が高い。倒れこみ防止フラップ３２には押し罫線３６が設けられて補強されているため、押し罫線３６方向の曲げに強くなり、へたることが無い。
【００３３】
なお、この考案は、上記実施形態に限定されるものではなく、倒れこみ防止フラップの形状や大きさ等は、収容物にあわせて適宜変更可能である。上蓋片や底蓋片、各フラップ等の形状や大きさ、数等、適宜変更可能である。収容物は、色々なものに使用することができる。破断線が設けられる位置は、収容物が取り出しやすい開口部を形成する位置であれば変更可能であり、ジッパー線やミシン線、ハーフカット線等、切断しやすいものであれば良い。箱体形成片の素材は、紙以外に合成樹脂や合成樹脂と紙を積層したもの等、自由に選択可能である。上蓋片や上蓋片を係止する切断線の構造や形状は自由に変更可能である。底面は、ワンタッチ底でなくてもよく、組み底、サック箱等、自由に変更可能である。
【符号の説明】
【００３４】
１０  包装用箱
１２  箱体形成片
１４，１８  側面
１６  正面
２０  背面
２８  糊付片
２８ａ  側縁部分
２８ｂ  中央部分
２８ｃ  端部
３０  折罫線
３２  倒れこみ防止フラップ
３２ａ  先端部
３６  押し罫線
３８  第一底蓋片
５６  第二底蓋片
９４  収容物
【図１】
0003222936.tif 000003
【図２】
0003222936.tif 000004
【図３】
0003222936.tif 000005